【事件の表示】
　特願２００３−４２５７２３「パチンコ機」拒絶査定不服審判事件〔平成１６年　３月２５日出願公開、特開２００４−　８９７３７〕について、次のとおり審決する。
【結　論】
　本件審判の請求は、成り立たない。
【理　由】
第１．手続の経緯　 
　本願は、平成９年２月２０日に出願した特願平９−３６６１６号の一部を、平成１５年１２月２２日に新たな特許出願として出願したものであって、平成１９年１月２３日付の拒絶理由通知に対して同年４月２日付で手続補正がなされ、同年６月２２日付の拒絶理由通知に対して同年８月２４日付で手続補正がなされ、これに対し、同年９月２７日付で補正の却下の決定がなされるとともに同日付で拒絶査定がなされ、これに対し、同年１１月１日付で拒絶査定不服の審判が請求されるとともに同月２８日付で手続補正がなされ、平成２０年１２月３日付の審尋に対して平成２１年２月５日に回答書が提出されたものである。
　
　
第２．平成１９年１１月２８日付の手続補正についての補正却下の決定
〔補正却下の決定の結論〕
　平成１９年１１月２８日付の手続補正（以下、「本件補正」という。）を却下する。
　
［理由］
【１】本件補正の内容と補正の適否
　本件補正により、特許請求の範囲の請求項１は、平成１９年４月２日付手続補正により補正された特許請求の範囲の請求項１に記載された
「【請求項１】　遊技盤に設けられた設定賞球数の異なる複数の入賞口と、各入賞口に設けられた設定賞球払い出し数系列センサーと、賞球を払い出す賞球払い出しユニットと、遊技制御回路と、枠制御回路とを備えたパチンコ機において、設定賞球払い出し数系列センサーが入賞口に入賞した入賞球の検出により当該入賞に対する設定賞球払い出し数系列信号を遊技制御回路に出力すると、遊技制御回路が設定賞球払い出し数系列センサーから入力された設定賞球払い出し数系列信号を当該設定払い出し数系列信号に対する設定賞球払い出し数系列毎の系列未処理入賞数カウントとして加算記憶し当該系列未処理入賞数カウントの記憶結果により設定賞球払い出し数信号を遊技制御回路のタイミングで一方的に枠制御回路に出力するとともに出力した設定賞球払い出し数信号に対応する系列未処理入賞数カウントの記憶数を減算し、枠制御回路が遊技制御回路から入力された設定賞球払い出し数信号による設定賞球払い出し数を無条件に一旦加算記憶し当該記憶に基づき賞球払い出しユニットを制御して賞球を払い出すとともに払い出しに使用した記憶を減算しさらに上記加算および減算される設定賞球払い出し数を停電の場合に消滅しないように記憶保持することを特徴とするパチンコ機。」
から、
　
「【請求項１】　遊技盤に設けられた設定賞球数の異なる複数の入賞口と、各入賞口に設けられた設定賞球払い出し数系列センサーと、賞球を払い出す賞球払い出しユニットと、遊技制御回路と、枠制御回路とを備えたパチンコ機において、
上記複数の設定賞球払い出し数系列センサーが１つの設定賞球払い出し数系列センサーで検出された入賞球をそれ以外の設定賞球払い出し数系列センサーで検出しないように配置されており、
設定賞球払い出し数系列センサー以外の入賞球を検出するセンサーや枠制御回路からの賞球払い出し動作開始のきっかけを作るための信号を受け取らない一方的な
で枠
　
　本件補正により特許請求の範囲の請求項１にした補正は、遊技盤に設けられた複数の入賞口の各入賞口に設けられた設定賞球払い出し数系列センサーについて、「上記複数の設定賞球払い出し数系列センサーが１つの設定賞球払い出し数系列センサーで検出された入賞球をそれ以外の設定賞球払い出し数系列センサーで検出しない」配置とするように限定した補正を含むものであるが、これは、発明特定事項の上位概念から下位概念への変更に当たり、平成１８年法律第５５号による改正前の特許法第１７条の２第４項第２号に規定する「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（上記改正前の特許法第１７条の２第５項において準用する同法１２６条第５項の規定に適合するか）否かを検討する。　
　
【２】独立特許要件違反の適否
［１］引用例に記載の発明・技術
　第１引用例：特開平９−７０８号公報
　第２引用例：特開平５−２０８０７０号公報
　第３引用例：特開平８−５７１３０号公報
　第４引用例：特開平８−２６６７２８号公報
　第５引用例：特開平３−２８６７９０号公報
　第６引用例：特開平５−３１２４８号公報
　
（１）第１引用例に記載の発明
　原査定の拒絶理由に引用された、平成９年１月７日に頒布された刊行物である第１引用例（特開平９−７０８号公報）には、以下の事項が図面とともに記載されている。
　
（ア）「【請求項１】  遊技領域に打玉を打込んで遊技が行なわれる弾球遊技機であって、前記遊技領域に設けられ、打玉の入賞により払出される景品玉が互いに異なる複数種別に分類される複数の入賞領域と、該複数の入賞領域に入賞した入賞玉を検出可能な複数の入賞玉検出手段と、複数種類の個数の景品玉を払出可能な景品玉払出手段と、前記複数の入賞玉検出手段により検出された入賞玉を記憶する手段であって、当該入賞玉がどの種別に属する入賞領域への入賞玉かを前記複数種別すべてについて区別して記憶する入賞玉記憶手段と、該入賞玉記憶手段の記憶に従って前記玉払出手段により景品玉を払出す制御を行なう玉払出制御手段とを含むことを特徴とする、弾球遊技機。」（第２頁１欄２〜１７行）
（イ）「【００１２】図１は、パチンコ遊技機の遊技盤を示す正面図である。遊技盤の任意の前面には、区画レール３が設けられており、この区画レール３に囲まれた部分が遊技領域４となる。」（第３頁３欄３６〜３９行）
（ウ）「【００１３】遊技領域４内のほぼ中央には、表示状態が変化可能な可変表示装置５が設けられている。さらに遊技領域４の下方位置には、遊技者にとって有利となる第１の状態と遊技者にとって不利となる第２の状態とに変化可能な可変入賞球装置２１が設けられている。遊技領域４内に打込まれた打玉が始動口１９に入賞すれば、その始動入賞玉が始動玉検出器２０により検出され、その検出出力に従って、前記可変表示装置５が可変開始する。この可変表示装置５は、左可変表示部と中可変表示部と右可変表示部とを有し、打玉の始動入賞に伴ってすべての可変表示部が可変開始し、所定時間経過後にまず左可変表示部が停止され、次に右可変表示部が停止され、最後に中可変表示部が停止される。可変表示装置５は、図示するように、上段中段下段の横方向３本と斜め対角線上に２本との合計５本の当りラインが定められており、各可変表示部の停止時の表示結果が、この５本の当りラインのうちのいずれかの当りライン上において特定の識別情報の組合せ（たとえば７７７）となれば、特定遊技状態が発生して、可変入賞球装置２１を第１の状態にする大当り制御が行なわれる。」（第３頁３欄４７行〜４欄１６行）
（エ）「【００１４】可変入賞球装置２１は、開口２３を開閉する開閉板２４が設けられており、通常時はこの開閉板２４が開口２３を閉鎖して打玉が入賞不可能な遊技者にとって不利な第２の状態となっている。そして前記特定遊技状態が発生すれば、ソレノイド２５が励磁されて開閉板２４が開成して打玉が開口２３内に入賞可能な遊技者にとって有利な第１の状態となる。」（第３頁４欄１７〜２３行）
（オ）「【００１５】可変表示装置５の上方部分には通常の入賞口７が設けられており、さらにその少し下方部分にはワープ入口８が設けられている。このワープ入口８に玉が入賞すれば、ワープ通路９ａ，９ｂのいずれかを通ってその玉がワープ出口１０ａ，１０ｂのいずれかから放出され、その放出された玉が始動口１９に入賞しやすいように構成されている。可変表示装置５の可変表示中に再度打玉が始動口１９に入賞して始動玉検出器２０により検出されれば、その始動入賞が記憶されて、可変表示装置５の可変表示が停止した後再度可変開始可能な状態になってからその始動入賞記憶に基づいて可変表示装置５が再可変表示される。その始動入賞記憶の上限値はたとえば「４」と定められており、現時点における始動入賞記憶数が始動記憶表示器１２により表示される。可変入賞球装置２１の左右にも、始動口３６ａ，３６ｂがもうけられており、この始動口３６ａ，３６ｂにパチンコ玉が入賞すれば始動玉検出器３６ｃ，３６ｄにより検出されてその検出出力が始動玉検出器２０と同様に可変表示装置５を可変開始させるのに利用される。」（第３頁４欄３９行〜第４頁５欄７行）
（カ）「【００１６】遊技領域４内には、さらに、通常の入賞口３９ａ，３９ｂが設けられている。」（第４頁５欄８〜９行）
（キ）「【００１８】図２は、遊技盤の裏面構造を示す背面図である。遊技盤の裏面側には、前述した各種の入賞領域から入賞した入賞玉を誘導して集合させる入賞玉集合カバー体４７が設けられている。この入賞玉集合カバー体４７には、入賞玉を誘導するための誘導通路４８ａ，４８ｂ，５０ａ，５０ｂ，５１が設けられている。そして、入賞口７，３９ａ，３９ｂに入賞した入賞玉が誘導通路４８ａ，４８ｂ，５０ａ，５０ｂにより誘導され、可変入賞球装置２１に入賞した入賞玉が誘導通路５１により誘導される。誘導通路４８ａ，４８ｂで誘導されてきた入賞玉は入賞情報スイッチ４９ａ，４９ｂにより検出される。図中５は可変表示装置であり、４４はアウト口であり、３６ａ，３６ｂは始動口である。その始動口３６ａ，３６ｂに入賞した始動入賞玉が始動玉検出器３６ｄ，３６ｃにより検出される。」（第４頁５欄３１〜４５行）
（ク）「【００１９】図３は、可変入賞球装置２１の構造を説明するための斜視図である。可変入賞球装置２１は取付基板２２を有し、この取付基板２２により遊技盤の前面に取付けられる。取付基板２２には開口２３が形成されており、その開口２３を開閉板２４が開閉する。開口２３内には、通常入賞口２７ａ，２７ｂと特定領域２６とが設けられている。そして特定領域（Ｖポケット）に入賞した入賞玉が特定玉検出器２８により検出され、通常入賞口２７ａ，２７ｂに入賞した入賞玉が入賞玉検出器２９ａ，２９ｂにより検出される。」（第４頁５欄４６行〜６欄５行）
（ケ）「【００３７】図１１は、パチンコ遊技機の遊技状態を制御するための遊技制御回路基板９９に設けられた遊技制御回路を示すブロック図である。遊技制御回路は、ＣＰＵ，ＲＯＭ，ＲＡＭ，Ｉ／Ｏポート等を含む基本回路１３０を有する。この基本回路１３０は、カウンタ１３１も有しており、後述する入賞玉検出器からの検出信号に基づいて入賞玉を計数することができるように構成されている。」（第６頁１０欄１５〜２２行）
（コ）「【００３８】基本回路には、以下のような信号が入力される。入賞情報が入賞情報入力回路１３６を介して基本回路１３０に入力される。入賞玉検出器（１０カウントスイッチ）２９ａ，２９ｂ，入賞情報スイッチ４９ａ，４９ｂ，特定領域スイッチ２８，始動口スイッチ（始動玉検出器）２０，３６ｃ，３６ｄの検出信号がスイッチ回路１４０を介して基本回路１３０に入力される。」（第６頁１０欄３５〜４１行）
（サ）「【００３９】基本回路１３０は、以下の各種機器に信号を出力する。賞球個数情報出力回路１３７を介して賞球個数情報を払出制御回路基板１００側に出力する。」（第６頁１０欄４２〜４４行）
（シ）「【００４１】図１２は、遊技制御回路基板９９と払出制御回路基板１００との間でのデータのやり取りを行なう制御回路を示す図である。払出制御回路基板１００には、払出制御用マイクロコンピュータ（図示せず）が設けられており、その払出制御用マイクロコンピュータに賞球回路１４９が接続されている。その賞球回路１４９には、入賞玉検出器（ＳＷ１）１１３（図５，図１０参照）からの検出信号が入賞玉センサ回路１４６を介して入力される。この入力信号に応答して、払出制御用マイクロコンピュータは賞球回路１４９を介してフォトカプラ１４７に入賞があった旨の入賞情報を出力する。そしてその電気信号からなる入賞情報がフォトカプラ１４７により一旦光信号に変換された後再度電気信号に変換されて、その電気信号に変換された入賞情報が入賞情報入力回路１３６を介して基本回路１３０（図１１参照）に入力される。」（第７頁１１欄２２〜３７行）
（ス）「【００４２】一方、打玉が始動口１９，３６ａ，３６ｂに入賞して始動玉検出器（ＳＷ２）２０，３６ｃ，３６ｄにより検出されれば、その検出信号が入賞玉センサ回路１４０を介して入賞個数カウンタ１３１に入力され、その始動入賞玉の個数が計数される。さらに、打玉が可変入賞球装置２１内の通常領域２７ａ，２７ｂに入賞すれば入賞玉検出器（ＳＷ３）２９ａ，２９ｂにより検出され、さらに特定領域（Ｖポケット）２６に入賞すれば特定玉検出器（ＳＷ３）２８により検出され、それらの検出信号が入賞玉センサ回路１４０を介して入賞個数カウンタ１３１に入力され、それらの入賞玉が計数される。通常の入賞口３９ａ，３９ｂ，７への入賞玉が入賞情報スイッチ（ＳＷ４）４９ａ，４９ｂにより検出されれば、その検出信号が入賞玉センサ回路１４０を介して入賞個数カウンタ１３１に入力され、それらの入賞玉が計数される。」（第７頁１１欄３８行〜１２欄３行）
（セ）「【００４３】基本回路１３０は、入賞情報入力回路１３６からの入賞情報が入力されれば、後述するように、入賞個数カウンタ１３１の計数状態に応じて、払出すべき景品玉個数を特定する賞球データを賞球個数情報出力回路１３７から出力する。この賞球個数情報出力回路１３７は、Ｄ０〜Ｄ３の４ビットのデータの形で賞球情報を払出制御回路基板１００側に出力する。払出制御回路基板１００側では、それらの４ビットのデータをそれぞれ入力するフォトカプラ１４８ａ〜１４８ｄが設けられている。そしてこれらのフォトカプラ１４８ａ〜１４８ｄにより４ビットからなる賞球データが一旦光信号に変換された後再度電気信号に変換されて、その電気信号に変換された４ビットの賞球データが賞球回路１４９を介して払出制御用マイクロコンピュータに入力される。払出制御用マイクロコンピュータは、入力された賞球データに相当する個数だけの景品玉を玉払出装置６０から払出すための制御を行なう。」（第７頁１２欄４〜２０行）
（ソ）「【００４５】図１４は、図１２に示した制御回路の場合の基本回路１３０の制御動作を示すフローチャートである。まず、ステップＳ（以下単にＳという）１により、入賞情報の入力があったか否かの判断がなされる。そして、払出制御基板１００側から入賞情報が入賞情報入力回路１３６を介して基本回路１３０に入力されれば、Ｓ１によりＹＥＳの判断がなされてＳ２に進み、カウンタ４が「０」であるか否かの判断がなされる。このカウンタ４は、始動口１９，３６ａ，３６ｂへの入賞に基づいた景品玉の払出制御と可変入賞球装置２１（特定領域２６，通常領域２７ａ，２７ｂ）への入賞に基づいた景品玉の払出制御とそれら以外の通常の入賞口３９ａ，３９ｂ，７への入賞に基づいた景品玉の払出制御とを、代わる代わる交互に行なうためのカウンタである。まずこのカウンタ４が「０」である場合には、Ｓ２によりＹＥＳの判断がなされてＳ３に進み、カウンタ１が「０」であるか否かの判断がなされる。このカウンタ１は、入賞個数カウンタ１３１内に設けられたカウンタであり、始動玉検出器２０，３６ｃ，３６ｄ（ＳＷ２）からの検出信号が入力されるごとに、カウントアップしてその始動入賞玉個数を計数するものである。カウンタ１が「０」のときにはＳ４に進み、カウンタ４に「１」を加算する処理がなされる。次にＳ５に進み、カウンタ４が「１」であるか否かの判断がなされ、この場合には「１」であるために、Ｓ６に進み、カウンタ２が「０」であるか否かの判断がなされる。カウンタ２は、入賞個数カウンタ１３１内に設けられたカウンタであり、特定玉検出器２８や入賞玉検出器２９ａ，２９ｂ（ＳＷ３）からの検出信号があるごとにカウントアップしてそれらの入賞玉個数を計数するものである。このカウンタ２が「０」のときにはＳ７に進み、カウンタ４に「１」を加算する処理がなされ、Ｓ８に進む。Ｓ８では、カウンタ３が「０」であるか否かの判断がなされる。このカウンタ３は、入賞個数カウンタ１３１内に設けられたカウンタであり、通常の入賞口７，３９ａ，３９ｂに入賞した入賞玉を検出する入賞情報スイッチ４９ａ，４９ｂ（ＳＷ４）からの検出信号が入力されるごとに、カウントアップしてその入賞玉個数を計数するものである。」（第７頁１２欄３７行〜第８頁１３欄２４行）
（タ）「【００４７】一方、図１２に示したスイッチＳＷ３からの検出信号が入力されれば、カウンタ３が「０」でなくなるために、Ｓ８によりＮＯの判断がなされてＳ１０に進み、第１賞球態様の指令信号を景品玉払出装置１００側に出力する処理がなされる。この第１賞球態様の指令信号は、景品玉を７個払出指令するための賞球データを含んでいる。次にＳ１１に進み、カウンタ３を「１」減算し、Ｓ１２に進み、カウンタ４をクリアする処理がなされる。」（第８頁１３欄３５〜４３行）
（チ）「【００４８】次に、図１２に示すスイッチＳＷ２からの検出信号が入力された場合には、カウンタ１が「０」でなくなるために、Ｓ１，Ｓ２，Ｓ３と制御が進んでＳ３によりＮＯの判断がなされてＳ１６に進む。Ｓ１６では、第３賞球態様の指令信号が払出制御基板１００に出力される。この第３賞球態様の指令信号は、景品玉を５個払出指令するための賞球データを含んでいる。次にＳ１７に進み、カウンタ１を「１」減算し、Ｓ１８に進み、カウンタ４を「１」加算する処理が行なわれる。」（第８頁１３欄４４行〜１４欄２行）
（ツ）「【００４９】次に入賞情報があってＳ２に進んだ段階では、カウンタ４が「１」となっているためにＳ２によりＮＯの判断がなされてＳ５に進み、Ｓ５でＹＥＳの判断がなされてＳ６に進み、カウンタ２が「０」であるか否かの判断がなされ、図１２に示すスイッチＳＷ３からの検出信号があった場合には、Ｓ６によりＮＯの判断がなされてＳ１３に進み、第２賞球態様の指令信号を払出制御基板１００に出力する処理がなされる。この第２賞球態様の指令信号は、景品玉１５個を払出指令するための賞球データを含んでいる。次にＳ１４に進み、カウンタ２を「１」減算し、Ｓ１５により、カウンタ４に「１」を加算する処理が行なわれる。その結果、カウンタ４は「２」となる。」（第８頁１４欄３〜１５行）
（テ）「【００５０】この状態で、入賞情報があれば、Ｓ１，Ｓ２，Ｓ５，Ｓ８に進み、前記第１賞球態様指令信号を出力するか否かのカウンタ３の値を判別する処理が実行されることとなる。このように、カウンタ４の値に従って、第１賞球態様指令信号を出力するか否かのカウンタ３の値の判別，第２賞球態様指令信号を出力するか否かのカウンタ２の値の判別，第３賞球態様指令信号を出力するか否かのカウンタ１の値の判別というように、打玉の入賞により払出される景品玉数が互いに異なる複数種別に分類される複数の入賞領域において、当該複数種別に対応する個数の景品玉が代わる代わるに払出制御されるように構成されている。これにより、いずれかの種別に対応する個数の景品玉が未払出のままになるのを防止できる。」（第８頁１４欄１６〜２９行）
（ト）「【００６７】次に、以上説明した実施例の特徴や変形例等を以下に列挙する。」（第１１頁１９欄２９〜３０行）
（ナ）「【００６８】始動口１９，３６ａ，３６ｂ，特定領域２６，通常領域２７，入賞口７，３９ａ，３９ｂにより、前記遊技領域に設けられ、打玉の入賞により払出される景品玉数が互いに異なる複数種別に分類される複数の入賞領域が構成されている。始動玉検出器２０，３６ｃ，３６ｄ（ＳＷ２），特定玉検出器２８，入賞玉検出器２９ａ，２９ｂ（ＳＷ３），入賞情報スイッチ４９ａ，４９ｂ（ＳＷ４）により、前記複数の入賞領域に入賞した入賞玉を検出する複数の入賞玉検出手段が構成されている。この入賞玉検出手段は、入賞玉がどの種別に属する入賞玉であるかを検出するための種別特定用入賞玉検出手段、換言すれば、景品玉の払出数を特定するための景品玉払出数特定用入賞玉検出手段である。前記入賞玉検出器１１３（ＳＷ１）により、入賞玉を検出して入賞玉が発生した旨の信号を後述する遊技制御手段に出力する入賞玉発生検出手段、換言すれば、景品玉の払出制御を実行させるための景品玉払出制御用入賞玉検出手段が構成されている。」（第１１頁１９欄４１行〜２０欄８行）
（ニ）「【００７１】（３）  玉払出制御回路基板１００に設けられている玉払出制御回路により、後述する入賞玉記憶手段の記憶に従って前記玉払出手段により景品玉を払出す制御を行なう玉払出制御手段が構成されている。遊技制御回路基板９９に設けられている遊技制御回路により、遊技機の遊技状態を制御する遊技制御手段が構成されている。この遊技制御手段は、前記玉払出制御手段から送信されてきた入賞情報に従って、その入賞に伴って払出すべき景品玉の個数を特定する賞球情報を前記玉払出制御手段に出力する。入賞個数カウンタ１３１により、前記入賞玉検出手段により検出された入賞玉を一時的に記憶する入賞玉記憶手段が構成されている。この入賞玉記憶手段は、入賞玉検出手段（ＳＷ２〜ＳＷ４）による入賞玉の検出に応じて種別毎に加算記憶するとともに、前記遊技制御手段から前記賞球情報が出力された後、その賞球情報に対応する入賞玉の記憶を消去、すなわち、種別毎に記憶されている入賞玉数から減算する。なお、この入賞記憶手段による入賞玉の記憶の消去は、前記玉払出手段による景品玉の払出動作が完了した後記憶の消去を行なうようにしてもよい。」（第１１頁２０欄３１〜５０行）
　
　上記（ア）〜（ニ）に摘示した事項によれば、第１引用例には、以下の発明（以下、「引用発明」という。）が記載されている。
「遊技盤の遊技領域に設けられ、打玉の入賞により払出される景品玉が互いに異なる複数種別に分類される複数の入賞領域と、該複数の入賞領域に入賞した入賞玉を検出可能な複数の入賞玉検出手段と、複数種類の個数の景品玉を払出可能な景品玉払出手段と、前記玉払出手段により景品玉を払出す制御を行なう玉払出制御手段と、遊技制御回路とを含むパチンコ遊技機において、
　始動口１９に入賞した始動入賞玉が始動玉検出器２０により検出され、
　始動口３６ａ，３６ｂに入賞した始動入賞玉が始動玉検出器３６ｃ，３６ｄにより検出され、
　通常の入賞口７，３９ａ，３９ｂに入賞した入賞玉が誘導通路４８ａ，４８ｂにより誘導されて入賞情報スイッチ４９ａ，４９ｂにより検出され、
　可変入賞球装置２１内に通常入賞口２７ａ，２７ｂと特定領域２６とが設けられ、該特定領域２６に入賞した入賞玉が特定玉検出器２８により検出され、前記通常入賞口２７ａ，２７ｂに入賞した入賞玉が入賞玉検出器２９ａ，２９ｂにより検出され、
　入賞玉検出器１１３からの検出信号が払出制御回路基板１００の賞球回路１４９に入力され、入賞があった旨の入賞情報が入賞情報入力回路１３６を介して遊技制御回路が有する基本回路１３０に入力され、
　前記基本回路１３０が入賞個数カウンタ１３１を有し、
　打玉が前記始動口１９，３６ａ，３６ｂに入賞して前記始動玉検出器２０，３６ｃ，３６ｄにより検出されれば、その検出信号が入賞個数カウンタ１３１に入力されて始動入賞玉の個数が加算して計数され、
　前記通常の入賞口７，３９ａ，３９ｂへの入賞玉が前記入賞情報スイッチ４９ａ，４９ｂにより検出されれば、その検出信号が前記入賞個数カウンタ１３１に入力されて、それらの入賞玉の個数が加算して計数され、
　打玉が前記通常入賞口２７ａ，２７ｂに入賞すれば前記入賞玉検出器２９ａ，２９ｂにより検出され、前記特定領域２６に入賞すれば前記特定玉検出器２８により検出され、それらの検出信号が前記入賞個数カウンタ１３１に入力されてそれらの入賞玉の個数が加算して計数され、
　前記基本回路１３０は、前記入賞情報入力回路１３６からの前記入賞情報が入力されれば、前記入賞個数カウンタ１３１の計数状態に応じて、払出すべき景品玉個数を特定する賞球データを前記払出制御回路基板１００側に出力して、前記入賞個数カウンタ１３１におけるそれぞれの検出器又はスイッチに対応するカウンタを減算し、
　前記払出制御回路基板１００側では、入力された前記賞球データに相当する個数だけの景品玉を玉払出装置６０から払出すための制御を行なうこととしたパチンコ遊技機。」
　
（２）第２引用例に記載の技術
　平成５年８月２０日に頒布された刊行物である第２引用例（特開平５−２０８０７０号公報）には、以下の事項が図面とともに記載されている。
　
（ア）「【００５９】・・・始動入賞口以外の通常の入賞口または可変入賞球装置内にパチンコ玉が入賞すれば、入賞玉センサＢ（１７０ｂ）より検出され、その検出信号が検出スイッチ入力回路８５３を介してゲーム制御用マイクロコンピュータ３７０に入力される。ゲーム制御用マイクロコンピュータ３７０では、ｋ（１５個）の個数の景品玉を払出すための制御信号を出力回路８５０に出力する。出力回路８５０では、出力ポートＤ０〜Ｄ３からｋ（１５個）の個数の景品玉を払出すめたの信号（たとえば１１１１）を払出集中制御基板７３０側に出力する。」（第１１頁２０欄１６〜４９行）
（イ）「【００６０】払出集中制御基板７３０では、ゲーム制御用基板１４８′から出力されてきた賞球個数信号を各フォトカプラ８５５〜８５８が受け、その各フォトカプラ８５５〜８５８から賞球個数信号が入力回路８５１に入力され、その入力回路８５１から払出制御用マイクロコンピュータ３５０に賞球個数信号が入力される。そして払出制御用マイクロコンピュータ３５０では、入力された賞球個数に相当する個数だけの景品玉を払出制御する。」（第１１頁２０欄５０行〜第１２頁２１欄８行）
　
　上記（ア）〜（イ）に摘記した事項によれば、通常の入賞口または可変入賞球装置内への入賞に基づいて行われる景品玉の払出は、「払出集中制御基板」や「入賞玉センサＢ以外のセンサ」からの信号を、「ゲーム制御基板」が受け取ったタイミングで行うものではない。
　
（３）第３引用例に記載の技術
　平成８年３月５日に頒布された刊行物である第３引用例（特開平８−５７１３０号公報）には、以下の事項が図面とともに記載されている。
　
（ア）「大入賞口１４ａ内部には入賞球の通過を検出する特定領域通過スイッチ１４ａ１が設けられている。」（第３頁３欄１１〜１３行）
（イ）「【００１０】そして、センターカバー２１の下側には、上記入賞口等に入賞した遊技球が遊技盤１１の裏面の開口から落下した遊技球を集める入賞球集合樋２５が、右下方向に傾斜して設けられている。入賞球集合樋２５の右端位置には、入賞球検出スイッチ２５ａ、入賞球排出ソレノイド２５ｂ及び入賞球排出カム２５ｃが順次設けられており、入賞球排出カム２５ｃの下側の通路には入賞球排出確認センサ２５ｄが設けられている。」（第３頁３欄３５〜４２行）
（ウ）「【００１２】また、本体１０に取り付けられた周辺基板４０は、図４に示すように、ＣＰＵ，ＲＯＭ，ＲＡＭ，カウンタ等を有するマイクロコンピュータにより構成された賞品球制御回路４１を設けている。賞品球制御回路４１は、図８に示す「賞品球処理プログラム」を実行し続ける。賞品球制御回路４１の入力側には、上記入賞球排出確認センサ２５ｄが接続されている。」（第３頁４欄１５〜２１行）
（エ）「【００１７】つぎに、以上のように構成した実施例の動作について説明する。・・・制御回路３１は、図６に示す「入賞制御プログラム」の実行をステップ５０にて開始し、・・・ステップ５２にて入賞球検出スイッチ２５ａがオンされたか否かを判定する。いずれかの入賞口、始動口に遊技球が入賞したときは、ステップ５２にて「ＹＥＳ」との判定の基にプログラムはステップ５３に移行され、クロックパルス信号ＳＣＫが出力される。そして、ステップ５４にて、大入賞口への入賞個数の記憶数Ｃが「０」か否かの判定がなされる。現時点においては、遊技開始直後であり「ＹＥＳ」との判定の基にプログラムはステップ５５に移行され、通常の入賞口に入賞したことを示すデータ信号ＳＩ（７）が出力される。そして、プログラムはステップ５２に戻され、以下ステップ５２からステップ５５の処理が繰り返される。」（第４頁５欄４１行〜６欄１１行）
（オ）「【００１８】また、周辺基板４０の賞品球制御回路４１も、制御回路３１による処理と同時に、図８に示すステップ７０にて「賞品球処理プログラム」の実行を開始する。・・・ステップ７２にてクロックパルス信号ＳＣＫが出力されたか否かを判定する。いずれかの入賞口等に遊技球が入賞すると、「ＹＥＳ」との判定の基プログラムは、ステップ７３に移行され、同時に入力されたデータ信号ＳＩが賞品球数７個相当のＳＩ（７）であるか否かが判定される。上記のように通常の入賞口への入賞なので、「ＹＥＳ」との判定の基にプログラムはステップ７４に移行され、７個供給信号が賞品球ケース２４に出力される。これを受けて駆動回路４２ａは、電磁ソレノイド２４ｄを励磁してスプロケット２４ａを回転させて、７個の賞品球を賞品球通路２３ａを通して受皿１５に供給する。」（第４頁６欄１２〜２７行）
（カ）「【００１９】上記制御回路３１による「入賞制御プログラム」の実行及び賞品球制御回路４１による「賞品球処理プログラム」の実行の間に、制御回路３１は、図７に示す「大入賞口入賞インタラプトプログラム」の割り込み実行を行っている。・・・。」（第４頁６欄２８〜３２行）
（キ）「【００２０】そして、大入賞口に遊技球が入賞すると、ステップ６２にて「ＹＥＳ」との判定の基にプログラムはステップ６３に移行され、入賞記憶数Ｃが「１」だけプラスされ、さらにステップ６４にてデータ信号ＳＩ（１５）が出力されたか否かが判定される。データ信号ＳＩ（１５）が出力されたときは、ステップ６４にて「ＹＥＳ」との判定の基にプログラムはステップ６５に移行され、入賞記憶数Ｃが「１」だけ減らされる。・・・」（第４頁６欄４７行〜第５頁７欄４行）
（ク）「【００２１】そして、大入賞口への遊技球の入賞により入賞記憶数Ｃが有限値になると、制御回路３１は、図６のステップ５４にて「ＮＯ」との判定の基にプログラムをステップ５６に移行させて、データ信号ＳＩ（１５）を出力する。すると、これを受けて賞品球制御回路４１は、図８のステップ７３にて「ＮＯ」との判定の基に、プログラムをステップ７５に移行させて、１５個供給信号ＳＩ（１５）信号を賞品球ケース２４に出力させる。」（第５頁７欄７〜１５行）
（ケ）【図４】には、（大入賞口内部の入賞球の通過を検出する）特定領域通過スイッチ１４ａ１や、（入賞球集合樋に設けられる）入賞球検出スイッチ２５ａ以外に、「入賞球排出確認センサ２５ｄ」が、賞品球制御回路に設けられた点が記載されている。
　
　上記（ア）〜（ケ）に摘記した事項によれば、入賞口、始動口及び大入賞口への入賞に基づいて行われる賞品球の供給のプロセスは、「賞品球制御回路４１」（本願補正発明の「枠制御回路」に相当する。）や「入賞球排出確認センサ２５ｄ」（本願補正発明の「設定賞球払い出し数系列センサー以外の入賞球を検出するセンサー」に相当する。）からの信号を、「制御回路３１」（本願補正発明の「遊技制御回路」に相当する。）が受け取ったタイミングで行うものではない。
　
（４）第４引用例に記載の技術
　原査定の拒絶理由に引用された平成８年１０月１５日に頒布された刊行物である第４引用例（特開平８−２６６７２８号公報）には、以下の事項が図面とともに記載されている。
　
（ア）「【００３９】図３は、入賞玉処理機構４００の構造および作用を説明するための断面図である。入賞玉センサＡ（１７０ａ），Ｂ（１７０ｂ）のそれぞれの脇には、払出ソレノイドＡ（１７１ａ），Ｂ（１７１ｂ）で揺動される揺動体２９ａ，２９ｂが設けられている。この揺動体２９ａ，２９ｂは、支軸３１ａ，３１ｂにより回動自在に取付けられており、それぞれにウエート３３ａ，３３ｂが設けられている。」（第７頁１１欄１９〜２６行）
（イ）「【００４２】そして、第１の入賞玉集合樋４７に導かれた入賞玉が入賞玉センサＡ（１７０ａ）により検出されれば所定個数の景品玉が払出され、その払出が完了した段階で払出ソレノイドＡ（１７１ａ）を１回励磁して解除する。そして、次の入賞玉が第１の入賞玉集合樋４７に存在すれば再度入賞玉センサＡ（１７０ａ）により検出されて、前述と同様に所定個数の景品玉が払出される。また、第２の入賞玉集合樋４５に導かれた入賞玉は入賞玉センサＢ（１７０ｂ）により検出され、所定個数ｋ個（たとえば１５個）の景品玉が払出され、払出ソレノイドＢ（１７０ｂ）が励磁されて次の入賞玉があれば再度所定個数ｋ個の景品玉の払出が行なわれる。」（第７頁１１欄４７行〜１２欄８行）
（ウ）「【００４３】以上のように、入賞玉が連続して発生したとしても、揺動体２９ａ，２９ｂにより、景品玉の払出が終了した入賞玉だけ流下する。そして、未だ景品玉の払出が終了していない入賞玉については流下が阻止されて第１，第２の入賞玉集合樋４７，４５内に証拠玉として貯留された状態となる。そのために、景品玉の払出個数をめぐるトラブルを防止できる利点がある。なお、証拠玉を貯留する代わりにマイクロコンピュータ等で入賞個数等を記憶しておき、その記憶値に基づいて払出制御を行なうようにしてもよい。その場合には、バックアップ電源を利用して記憶値が停電等で消去されないようにすることが望ましい。」（第７頁１２欄９〜２０行）
　
（５）第５引用例に記載の技術
　平成３年１２月１７日に頒布された刊行物である第５引用例（特開平３−２８６７９０号公報）には、以下の事項が図面とともに記載されている。
　
（ア）「一方、景品玉払出制御回路基板７０には、演算回路８６と該演算回路８６で演算された演算結果を記憶する複数の記憶回路８７〜８９と、該記憶回路８７〜８９の記憶値のいずれかを選択する選択回路９０と、該選択回路９０によって選択された記憶値に基づいて景品玉の払出動作に関連するすべてを制御する払出制御回路９１と、該払出制御回路９１の制御結果に基づいていずれかの記憶回路８７〜８９の記憶値を減算させる分岐回路９２とを含んでいる。なお、記憶回路８７〜８９には、電源回路１００に接続されるバックアップ電源１０１からバックアップ電流が供給されるようになっており、停電時にその記憶値が消滅しないようになっている。」（第７頁左上欄１４行〜同頁右上欄７行）
　　
（６）第６引用例に記載の技術
　平成５年２月９日に頒布された刊行物である第６引用例（特開平５−３１２４８号公報）には、以下の事項が図面とともに記載されている。
　
（ア）「【０１６２】そして、上記制御を可能ならしめるために、停電制御手段１９３には、排出球数記憶データバックアップ手段２０６、排出態様バックアップ手段２０７、停電検出手段２０８、排出続行制御手段２０９、停電回復検出手段２１０を設けてある。」（第２１頁３９欄３１〜３５行）
（イ）「【０１６３】賞球排出手段１９２より賞球排出残数信号線Ｌ３３を介して停電制御手段１９３に供給される賞球排出残数信号は、２入力の第１６アンド回路２１１の一方の入力側に、賞球排出手段１９２より賞球排出中信号線Ｌ２９を介して停電制御手段１９３に供給される賞球排出中信号は、上記第１６アンド回路２１１の他方の入力側に、夫々入力されるものとしてあり、これら両信号の入力に伴って、上記第１６アンド回路２１１のゲート出力として、排出球数記憶信号が排出球数記憶データバックアップ手段２０６に入力される。そして、この排出球数記憶信号に基づく排出球数が排出球数記憶データバックアップ手段２０６に記憶保持されるのである。」（第２１頁３９欄３６〜４７行）
（ウ）「【０１６６】なお、上記のごとく、排出態様を記憶保持するための排出態様バックアップ手段２０７を設けることなく、例えば、第１６アンド回路２１１より出力される信号を第１排出球数信号、第１７アンド回路２１２より出力される信号を第２排出球数記憶信号として、第１，第２排出球数記憶信号を記憶保持するためのメモリ領域を排出球数記憶データバックアップ手段２０６内に別途設けるように構成したり、第１排出球数記憶信号専用のバックアップ手段と第２排出球数記憶信号専用のバックアップ手段とを別個に設けてもよい。また、排出球数記憶データバックアップ手段２０６及び排出態様バックアップ手段２０７は、電源供給停止後にも記憶保持可能なものであれば何でもよく、例えばバックアップ用の電池等を別途設けておき、このバックアップ電源によってこれらの記憶が保持されるように構成してもよいし、排出球数記憶データバックアップ手段２０６及び排出態様バックアップ手段２０７のみ不揮発性のメモリを使用して、停電検出手段２０８より停電信号線Ｌ４１を介して停電信号が入力された際の排出球数信号および排出態様をメモリに書き込むように構成してもよい。」（第２１頁４０欄２７〜４６行）
　　
　
［２］本願補正発明について
（１）本願補正発明と引用発明との対比
（ア）本願補正発明と引用発明とを対比すると、引用発明の「入賞領域」は、本願補正発明の「入賞口」に相当し、以下同様に、 
　「入賞玉検出手段」は「設定賞球数払い出し数系列センサー」に、 
　「複数種類の個数の景品玉を払出可能な景品玉払出手段」は「賞球を払い出す賞球払い出しユニット」に、 
　「玉払出手段により景品玉を払出す制御を行なう玉払出制御手段」は「枠制御回路」に、 
　「含む」は「備えた」に、
　「パチンコ遊技機」は「パチンコ機」に、
　「検出信号」は「設定賞球払い出し数系列信号」に、
　「払出すべき景品玉個数を特定する賞球データ」は「設定賞球払い出し数信号」に、
　「払出制御回路」は「枠制御回路」に、
　「玉払出装置６０」は「賞球払い出しユニット」に、それぞれ相当する。
（イ）上記したように、引用発明の「入賞領域」は本願補正発明の「入賞口」に相当するものであり、引用発明における「遊技盤の遊技領域に設けられ、打玉の入賞により払出される景品玉が互いに異なる複数種別に分類される複数の入賞領域」の構成は、表現上の差異があるだけで、実質的には、本願補正発明における「遊技盤に設けられた設定賞球数の異なる複数の入賞口」の構成に対応するものである。
（ウ）引用発明における複数の「入賞玉検出手段」（上記したように、本願補正発明の「設定賞球数払い出し数系列センサー」に相当する。）は、複数の「入賞領域」（上記したように、本願補正発明の「入賞口」に相当する。）に入賞した入賞玉を検出可能なものであるから、本願補正発明における「設定賞球数払い出し数系列センサー」が「各入賞口に設けられ」ていることとは、「設定賞球数払い出し数系列センサー」が「各入賞口に関連して設けられ」ている点で共通する。
（エ）引用発明における「入賞玉検出手段」（上記したように、本願補正発明の「設定賞球数払い出し数系列センサー」に相当する。）は、同じく引用発明における「始動玉検出器２０」、「始動玉検出器３６ｃ，３６ｄ」、「入賞情報スイッチ４９ａ，４９ｂ」、「入賞玉検出器２９ａ，２９ｂ」をそれぞれ言い換えたものであり、また、引用発明は、「打玉が前記始動口１９，３６ａ，３６ｂに入賞して前記始動玉検出器２０，３６ｃ，３６ｄにより検出されれば、その検出信号が入賞個数カウンタ１３１に入力されて始動入賞玉の個数が加算して計数され、前記通常の入賞口７，３９ａ，３９ｂへの入賞玉が前記入賞情報スイッチ４９ａ，４９ｂにより検出されれば、その検出信号が前記入賞個数カウンタ１３１に入力されて、それらの入賞玉の個数が加算して計数され、打玉が前記通常入賞口２７ａ，２７ｂに入賞すれば前記入賞玉検出器２９ａ，２９ｂにより検出され、前記特定領域２６に入賞すれば前記特定玉検出器２８により検出され、それらの検出信号が前記入賞個数カウンタ１３１に入力されてそれらの入賞玉の個数が加算して計数され、前記基本回路１３０は、前記入賞情報入力回路１３６からの前記入賞情報が入力されれば、前記入賞個数カウンタ１３１の計数状態に応じて、払出すべき景品玉個数を特定する賞球データを前記払出制御回路基板１００側に出力して、前記入賞個数カウンタ１３１におけるそれぞれの検出器又はスイッチに対応するカウンタを減算し、前記払出制御回路基板１００側では、入力された前記賞球データに相当する個数だけの景品玉を玉払出装置６０から払出すための制御を行なう」ものである。第１引用例には直接の記載がないものの、この引用発明が、「始動玉検出器２０」、「始動玉検出器３６ｄ，３６ｃ」、「入賞情報スイッチ４９ａ，４９ｂ」または「入賞玉検出器２９ａ，２９ｂ」の４種類の入賞検出手段のいずれか１つで検出された入賞玉を、それ以外の３種類の入賞検出手段のいずれかで検出（ダブルカウント）させて景品玉個数を増加させることがないことは一般的技術（例えば、特開平７−２５０９５８号公報の段落【００４１】等を参照。）であって、第１引用例に記載されているに等しく且つ当業者にとって自明であるから、引用発明は、本願補正発明と同様に、「複数の設定賞球払い出し数系列センサーが１つの設定賞球払い出し数系列センサーで検出された入賞球をそれ以外の設定賞球払い出し数系列センサーで検出しないように配置され」た構成を備えたものであるといえる。
（オ）引用発明は、「始動口１９に入賞した始動入賞玉が始動玉検出器２０により検出され、始動口３６ａ，３６ｂに入賞した始動入賞玉が始動玉検出器３６ｃ，３６ｄにより検出され、通常の入賞口７，３９ａ，３９ｂに入賞した入賞玉が誘導通路４８ａ，４８ｂにより誘導されて入賞情報スイッチ４９ａ，４９ｂにより検出され、可変入賞球装置２１内に通常入賞口２７ａ，２７ｂと特定領域２６とが設けられ、該特定領域２６に入賞した入賞玉が特定玉検出器２８により検出され、前記通常入賞口２７ａ，２７ｂに入賞した入賞玉が入賞玉検出器２９ａ，２９ｂにより検出され」、「遊技制御回路が有する」「基本回路１３０が入賞個数カウンタ１３１を有し、打玉が前記始動口１９，３６ａ，３６ｂに入賞して前記始動玉検出器２０，３６ｃ，３６ｄにより検出されれば、その検出信号が入賞個数カウンタ１３１に入力されて始動入賞玉の個数が加算して計数され、前記通常の入賞口７，３９ａ，３９ｂへの入賞玉が前記入賞情報スイッチ４９ａ，４９ｂにより検出されれば、その検出信号が前記入賞個数カウンタ１３１に入力されて、それらの入賞玉の個数が加算して計数され、打玉が前記通常入賞口２７ａ，２７ｂに入賞すれば前記入賞玉検出器２９ａ，２９ｂにより検出され、前記特定領域２６に入賞すれば前記特定玉検出器２８により検出され、それらの検出信号が前記入賞個数カウンタ１３１に入力されてそれらの入賞玉の個数が加算して計数され、前記基本回路１３０は、前記入賞情報入力回路１３６からの前記入賞情報が入力されれば、前記入賞個数カウンタ１３１の計数状態に応じて、払出すべき景品玉個数を特定する賞球データを前記払出制御回路基板１００側に出力して、前記入賞個数カウンタ１３１におけるそれぞれの検出器又はスイッチに対応するカウンタを減算し、前記払出制御回路基板１００側では、入力された前記賞球データに相当する個数だけの景品玉を玉払出装置６０から払出すための制御を行なう」構成を備えたものであるが、引用発明の「始動玉検出器２０」、「始動玉検出器３６ｃ，３６ｄ」、「入賞情報スイッチ４９ａ，４９ｂ」及び「入賞玉検出器２９ａ，２９ｂ」は、上記したように、それぞれが、本願補正発明の「設定賞球数払い出し数系列センサー」に相当し、同じく上記したように、引用発明の「検出信号」、「払出すべき景品玉個数を特定する賞球データ」、「払出制御回路」、「玉払出装置６０」が、本願補正発明の「設定賞球払い出し数系列信号」、「設定賞球払い出し数信号」、「枠制御回路」、「賞球払い出しユニット」にそれぞれ相当するから、引用発明は、表現上の差異があるだけで、実質的に、本願補正発明における「設定賞球払い出し数系列センサーが入賞口に入賞した入賞球の検出により当該入賞に対する設定賞球払い出し数系列信号を遊技制御回路に出力すると、遊技制御回路が設定賞球払い出し数系列センサーから入力された設定賞球払い出し数系列信号を当該設定払い出し数系列信号に対する設定賞球払い出し数系列毎の系列未処理入賞数カウントとして加算記憶し当該系列未処理入賞数カウントの記憶結果により設定賞球払い出し数信号を枠制御回路に出力するとともに出力した設定賞球払い出し数信号に対応する系列未処理入賞数カウントの記憶数を減算し、枠制御回路が賞球払い出しユニットを制御して賞球を払い出す」ことに対応する構成を備えたものであるといえる。
　
　そうすると、本願補正発明と引用発明とは、
「遊技盤に設けられた設定賞球数の異なる複数の入賞口と、各入賞口に関連して設けられた設定賞球払い出し数系列センサーと、賞球を払い出す賞球払い出しユニットと、遊技制御回路と、枠制御回路とを備えたパチンコ機において、上記複数の設定賞球払い出し数系列センサーが１つの設定賞球払い出し数系列センサーで検出された入賞球をそれ以外の設定賞球払い出し数系列センサーで検出しないように配置されており、設定賞球払い出し数系列センサーが入賞口に入賞した入賞球の検出により当該入賞に対する設定賞球払い出し数系列信号を遊技制御回路に出力すると、遊技制御回路が設定賞球払い出し数系列センサーから入力された設定賞球払い出し数系列信号を当該設定払い出し数系列信号に対する設定賞球払い出し数系列毎の系列未処理入賞数カウントとして加算記憶し当該系列未処理入賞数カウントの記憶結果により設定賞球払い出し数信号を枠制御回路に出力するとともに出力した設定賞球払い出し数信号に対応する系列未処理入賞数カウントの記憶数を減算し、枠制御回路が賞球払い出しユニットを制御して賞球を払い出すパチンコ機。」
の点で一致し、以下の点で相違する。
　
＜相違点＞
　相違点Ａ．各入賞口に関連して設けられる設定賞球払い出し数系列センサーが、本願補正発明では、「各入賞口」に設けられたものであるのに対し、引用発明では、「複数の入賞口に入賞した入賞玉を検出可能」に設けられたものである点。
　相違点Ｂ．設定賞球払い出し数信号の枠制御回路への出力について、本願補正発明は、「遊技制御回路の設定賞球払い出し数系列センサー以外の入賞球を検出するセンサーや枠制御回路からの賞球払い出し動作開始のきっかけを作るための信号を受け取らない一方的なタイミングで」出力するようにしているのに対し、引用発明は、入賞玉検出器１１３からの検出信号が払出制御回路基板１００の賞球回路１４９に入力され、入賞があった旨の入賞情報が入賞情報入力回路１３６を介して遊技制御回路が有する基本回路１３０に入力され、基本回路１３０は、入賞情報入力回路１３６からの前記入賞情報が入力されれば、入賞個数カウンタ１３１の計数状態に応じて出力するようにしている点。
　相違点Ｃ．本願補正発明は、「遊技制御回路から入力された設定賞球払い出し数信号による設定賞球払い出し数を無条件に一旦加算記憶し当該記憶に基づ」いて賞球の払い出しを行うとともに、「払い出しに使用した記憶を減算しさらに上記加算および減算される設定賞球払い出し数を停電の場合に消滅しないように記憶保持する」構成を備えているのに対し、引用発明は、前記構成を備えていない点。
　
（２）相違点についての判断
（ア）相違点Ａについて
　第１引用例には、入賞玉の検出用のスイッチについて、個々の入賞口（始動口）に設けたものと、系列通路（複数の入賞口に対応）に設けたものとを混在させた技術が記載されている（特に、段落【００４２】、【図２】等を参照されたい。）が、前記した如く混在させて設けるかいずれかに限定して設けるかは、経済性や必要性を勘案して当業者が適宜決定する設計的事項に過ぎず、設定賞球払い出し数系列センサーを、本願補正発明の如く「各入賞口」に設けるようにすることは、当業者であれば容易に想到し得るものである。
　
（イ）相違点Ｂについて
　遊技制御回路から枠制御回路への設定賞球払い出し数信号の送信の契機に関して、「遊技制御回路の設定賞球払い出し数系列センサー以外の入賞球を検出するセンサーや枠制御回路からの賞球払い出し動作開始のきっかけを作るための信号を受け取らない一方的なタイミングで」出力するようにすることは、例えば、上記第２引用例（特開平５−２０８０７０号公報）や第３引用例（特開平８−５７１３０号公報）に開示されるように、従来周知の技術事項（以下、「周知技術Ａ」という。）であり、引用発明に前記周知技術Ａを採用して、上記相違点Ｂに係る本願補正発明の構成とすることは、当業者にとって想到容易である。　
　
（ウ）相違点Ｃについて
　賞球の払い出しの記憶値を停電の場合に消滅しないように保存させるようにすることは、例えば、上記第４引用例（特開平８−２６６７２８号公報）、第５引用例（特開平３−２８６７９０号公報）、第６引用例（特開平５−３１２４８号公報）等に開示されるように、従来周知の技術事項（以下、「周知技術Ｂ」という。）であるから、引用発明に前記周知技術Ｂを採用することは当業者にとって格別困難なことではない。また、その記憶値の保持を、賞球の払い出しに関わる遊技制御回路と枠制御回路のいずれで行うようにするかは、当業者が適宜選択する事項に過ぎない。したがって、引用発明に前記周知技術Ｂを採用して、上記相違点Ｃに係る本願補正発明の構成とすることは、当業者にとって想到容易である。
　
（３）本願補正発明の作用効果の検討
　そして、本願補正発明の作用効果は、引用発明及び上記周知技術Ａ、Ｂに基づいて、当業者が当然予測できるものである。  
 　　　　　　 
（４）むすび 
　したがって、本願補正発明は、引用発明及び上記周知技術Ａ、Ｂに基づいて、当業者が容易に発明をすることができたものであり、特許法第２９条第２項の規定により特許出願の際に独立して特許を受けることができない。
　
［３］補正の却下の決定のむすび
　以上のとおりであるから、本件補正は、平成１８年法律第５５号による改正前の特許法第１７条の２第５項において準用する同法第１２６条第５項の規定に違反するので、特許法第１５９条第１項の規定において読み替えて準用する同法第５３条第１項の規定により却下すべきものである。　
　よって、〔補正の却下の決定の結論〕のとおり決定する。
　
　
第３．本願発明について　　
【１】本願発明　
　本願の請求項１に係る発明は、平成１９年１１月２８日付の手続補正が上記のとおり却下されているので、平成１９年４月２日付の手続補正により補正された明細書及び図面の記載からみて、その特許請求の範囲の請求項１に記載された事項により特定される以下のとおりのものである（以下、「本願発明」という。）。　
「【請求項１】　遊技盤に設けられた設定賞球数の異なる複数の入賞口と、各入賞口に設けられた設定賞球払い出し数系列センサーと、賞球を払い出す賞球払い出しユニットと、遊技制御回路と、枠制御回路とを備えたパチンコ機において、設定賞球払い出し数系列センサーが入賞口に入賞した入賞球の検出により当該入賞に対する設定賞球払い出し数系列信号を遊技制御回路に出力すると、遊技制御回路が設定賞球払い出し数系列センサーから入力された設定賞球払い出し数系列信号を当該設定払い出し数系列信号に対する設定賞球払い出し数系列毎の系列未処理入賞数カウントとして加算記憶し当該系列未処理入賞数カウントの記憶結果により設定賞球払い出し数信号を遊技制御回路のタイミングで一方的に枠制御回路に出力するとともに出力した設定賞球払い出し数信号に対応する系列未処理入賞数カウントの記憶数を減算し、枠制御回路が遊技制御回路から入力された設定賞球払い出し数信号による設定賞球払い出し数を無条件に一旦加算記憶し当該記憶に基づき賞球払い出しユニットを制御して賞球を払い出すとともに払い出しに使用した記憶を減算しさらに上記加算および減算される設定賞球払い出し数を停電の場合に消滅しないように記憶保持することを特徴とするパチンコ機。」
　
【２】特許法第２９条２項の適用
［１］引用例に記載の発明及び技術　
　原査定の拒絶の理由で引用された第１引用例（特開平９−７０８号公報）に記載の発明（引用発明）は、上記第２．【２】［１］（１）に記載したとおりである。
　
［２］対比・判断
　本願発明は、本願補正発明において、遊技盤に設けられた複数の入賞口の各入賞口に設けられた設定賞球払い出し数系列センサーについて、「上記複数の設定賞球払い出し数系列センサーが１つの設定賞球払い出し数系列センサーで検出された入賞球をそれ以外の設定賞球払い出し数系列センサーで検出しない」配置とするものとした限定事項を省き、設定賞球数払い出し数信号の出力先を、制御回路ののうちの「枠制御回路」であるとした限定事項を省き、当該出力のタイミングを、「設定賞球払い出し数系列センサー以外の入賞球を検出するセンサーや枠制御回路からの賞球払い出し動作開始のきっかけを作るための信号を受け取らない」ものであるとした限定事項を省いたものである。
　そうすると、本願発明の構成要素を全て含むものに相当する本願補正発明が、上記第２．【２】［２］に説示したように、引用発明（第１引用例に記載の発明）及び上記周知技術Ａ、Ｂに基づいて、当業者が容易に発明をすることができたものであるから、本願発明は、同様の理由により、上記引用発明及び上記周知技術Ａ、Ｂに基づいて、当業者が容易に発明をすることができたものである。
　
［３］むすび　
　以上のとおり、本願発明は、上記引用発明及び上記周知技術Ａ、Ｂに基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。